(57)【要約】【課題】ライブビューモードに設定中であることをファインダーの視野内に示すことが可能なカメラを提供する。【解決手段】ファインダー８と、ファインダー８の視野内に焦点検出領域を表示するための焦点検出領域表示手段１２と、ライブビューモード設定時に焦点検出領域表示手段１２の少なくとも一部分を用いて焦点検出時と異なる表示をする所定の表示手段１２とを有することを特徴とする。【選択図】図１
2010243954.tif 000002
【特許請求の範囲】
【請求項１】
ファインダーと、
前記ファインダーの視野内に焦点検出領域を表示するための焦点検出領域表示手段と、
ライブビューモード設定時に前記焦点検出領域表示手段の少なくとも一部分を用いて焦点検出時と異なる表示をする所定の表示手段とを有することを特徴とするカメラ。
【請求項２】
前記所定の表示手段は、制御手段によって行われることを特徴とする請求項１に記載のカメラ。
【請求項３】
前記所定の表示手段は、前記焦点検出領域表示手段と異なる手段で表示されることを特徴とする請求項１又は請求項２に記載のカメラ。
【請求項４】
前記所定の表示手段は、前記焦点検出領域表示手段と異なる時間間隔で点滅表示されることを特徴とする請求項１又は請求項２に記載のカメラ。
【請求項５】
前記所定の表示手段は、前記焦点検出領域表示手段と異なる明るさで表示されることを特徴とする請求項１又は請求項２に記載のカメラ。
【請求項６】
前記所定の表示手段は、前記焦点検出領域表示手段と異なる色で表示されることを特徴とする請求項１又は請求項２に記載のカメラ。
【請求項７】
前記所定の表示手段は、文字又は記号表示されることを特徴とする請求項１又は請求項２に記載のカメラ。
【請求項８】
前記カメラの姿勢を検出するための姿勢検出手段を有し、
前記姿勢検出手段で検出された前記カメラの姿勢に合わせて、前記所定の表示手段の文字又は記号表示の向きを変更することを特徴とする請求項７に記載のカメラ。
【請求項９】
前記所定の表示手段の文字又は記号表示により前記カメラの状態を示すことを特徴とする請求項７又は請求項８に記載のカメラ。
【請求項１０】
焦点検出時に前記所定の表示手段の領域と、前記焦点検出領域表示手段の領域とが重複する場合には、前記焦点検出領域表示手段の領域の表示を優先させることを特徴とする請求項３から請求項９のいずれか一項に記載のカメラ。
【請求項１１】
撮影者が前記ファインダーを覗いたことを検出するための接眼検出手段を有し、
前記ライブビューモード設定時に前記撮影者が前記ファインダーを覗いたことが前記接眼検出手段で検出された場合、前記所定の表示手段による前記表示が行われることを特徴とする請求項１から請求項１０のいずれか一項に記載のカメラ。
【請求項１２】
前記ライブビューモードの設定時に前記撮影者が前記ファインダーを覗いたことが前記接眼検出手段で検出された場合、前記ライブビューモードを解除することを特徴とする請求項１１に記載のカメラ。
【発明の詳細な説明】
【技術分野】
【０００１】
本発明は、カメラに関する。
【背景技術】
【０００２】
従来、被写体の画像を液晶モニタに表示し、撮影者がこれを確認しながら撮影を行う所謂ライブビューモードに設定可能なカメラが知られている（例えば、特許文献１を参照。）。
【先行技術文献】
【特許文献】
【０００３】
【特許文献１】特開２００８−１８５６１１号公報
【発明の概要】
【発明が解決しようとする課題】
【０００４】
しかしながら上述のような従来のカメラは、ライブビューモードの設定中に撮影者が誤ってファインダーを覗いて撮影を行おうとしても、ライブビューモードに設定中であることに気付くことができず、撮影の失敗を招いてしまうという問題があった。
そこで本発明は上記問題点に鑑みてなされたものであり、ライブビューモードに設定中であることをファインダーの視野内に示すことが可能なカメラを提供することを目的とする。
【課題を解決するための手段】
【０００５】
上記課題を解決するために本発明は、
ファインダーと、
前記ファインダーの視野内に焦点検出領域を表示するための焦点検出領域表示手段と、
ライブビューモード設定時に前記焦点検出領域表示手段の少なくとも一部分を用いて焦点検出時と異なる表示をする所定の表示手段とを有することを特徴とするカメラを提供する。
【発明の効果】
【０００６】
本発明によれば、ライブビューモードに設定中であることをファインダーの視野内に示すことが可能なカメラを提供することができる。
【図面の簡単な説明】
【０００７】
【図１】本願の実施形態に係るカメラの構成を示す図である。
【図２】本願の実施形態に係るカメラの背面図である。
【図３】本願の実施形態に係るカメラのファインダー内表示部による表示例（全ての焦点検出枠を表示）を示す図である。
【図４】本願の実施形態に係るカメラのファインダー内表示部による表示例（中央の焦点検出枠のみを表示）を示す図である。
【図５】本願の実施形態に係るカメラのファインダー内表示部による表示例（複数の焦点検出枠により文字「ＬＶ」を表示）を示す図である。
【図６】本願の実施形態に係るカメラのファインダー内表示部による表示例（複数の焦点検出枠により文字「ＤＸ」を表示）を示す図である。
【図７】本願の実施形態に係るカメラのファインダー内表示部による表示例（複数の焦点検出枠により文字「Ｅｒｒ」を表示）を示す図である。
【図８】本願の実施形態に係るカメラのファインダー内表示部による表示例（複数の焦点検出枠により文字「ＢＡＴ」を表示）を示す図である。
【図９】本願の実施形態に係るカメラのファインダー内表示部による表示例（複数の焦点検出枠により画像の再生状態を示す記号を表示）を示す図である。
【図１０】本願の実施形態に係るカメラのファインダー内表示部による表示例（複数の焦点検出枠により文字「ＬＶ」を図５と異なる向きで表示）を示す図である。
【図１１】本願の実施形態に係るカメラのファインダー内表示部による表示例（「ＬＶ」マークを表示）を示す図である。
【発明を実施するための形態】
【０００８】
本願の実施形態に係るカメラを添付図面に基づいて説明する。
図１に示すように本実施形態に係るカメラ１は、撮影レンズ２を保持したレンズ鏡筒３と、レンズ鏡筒３が着脱自在に装着されたカメラ本体４とからなるデジタル一眼レフカメラである。
カメラ本体４は、不図示の被写体側から順にメインミラー５、サブミラー６、及び撮像素子７を有し、メインミラー５の反射光路上に配置されたファインダー８、サブミラー６の反射光路上に配置された焦点検出部９を有している。またカメラ本体４は、制御部１０、姿勢検出センサ１１、及びファインダー内表示部１２を有している。図２に示すように、カメラ本体４の背面には、モードダイヤル１３、レリーズボタン１４、ＡＦセレクタ１５、液晶モニタ１６、及び接眼検出センサ１７が備えられている。
【０００９】
ファインダー８は、焦点板１８、ペンタプリズム１９、及び接眼レンズ２０を有している。
焦点検出部９は、複数の焦点検出領域において焦点検出が可能なエリアセンサを有しており、オートフォーカスに際して所定の焦点検出領域での撮影レンズ２の合焦位置からのずれ量（デフォーカス量）を検出するものである。
ファインダー内表示部１２は、ファインダー８の視野内に形成される被写体像（ファインダー像）に対して、図３に示すように焦点検出領域の位置を示す焦点検出枠３０を重畳して表示する焦点検出領域表示部からなる。このファインダー内表示部１２は、同じく図３に示すようにファインダー８の視野内にシャッタースピードやＦ値等の各種情報３１の表示も行う。なお、図３は全ての焦点検出枠３０を表示した様子を示している。
【００１０】
制御部１０は、ファインダー内表示部１２、姿勢検出センサ１１、接眼検出センサ１７、及びその他の電動要素と電気的に接続され、これらの動作を制御するものである。
姿勢検出センサ１１は、カメラ本体４の姿勢、詳しくはカメラ本体４が撮影者によって横向きに構えられているか、或いは縦向きに構えられているかを検出するものである。
接眼検出センサ１７は、ファインダー８の接眼部２１の近傍に配置されており、撮影者が当該接眼部２１を覗き込んでいるか否かを検出するものである。
モードダイヤル１３は、カメラ１を後述するファインダーモードやライブビューモードに設定するために撮影者によって直接操作されるものである。
【００１１】
上記構成の本実施形態に係るカメラ１は、次に述べるように撮影者がファインダー８を覗きながら撮影を行うためのファインダーモードによる撮影と、被写体の画像を液晶モニタ１６に表示しこれを確認しながら撮影を行うためのライブビューモードによる撮影を行うことができる。
撮影者によってモードダイヤル１３が操作され本カメラ１がファインダーモードに設定されている場合、被写体からの光は撮影レンズ２によって集光され、その大部分がメインミラー５で反射された後、焦点板１８に結像される。焦点板１８に結像されたこの光は、ペンタプリズム１９で内部反射されて接眼レンズ２０へ導かれる。これにより撮影者はファインダー８の接眼部２１を覗き込むことで、接眼レンズ２０を介して被写体像（正立像）を観察することができる。
【００１２】
ここで、撮影レンズ２で集光された光の一部は、メインミラー５を透過してサブミラー６で反射され、焦点検出部９へ導かれる。このため、撮影者によってレリーズボタン１４が半押しされると、焦点検出部９は被写体からの光に基づき、撮影者が任意に選択或いは制御部１０が選択した所定の焦点検出領域において撮影レンズ２のデフォーカス量を検出する。制御部１０は、このデフォーカス量に基づいて不図示のレンズ駆動部を制御し、撮影レンズ２を光軸方向へ駆動することでフォーカシングを行い、オートフォーカスが完了する。レリーズボタン１４が半押しされている間、制御部１０はファインダー内表示部１２を制御し、図４に示すように前記所定の焦点検出領域に対応する焦点検出枠３０をファインダー８の視野内に表示させる。なお、図４は、撮影者がＡＦエリアセレクタ１５を操作することによって中央の焦点検出領域が選択され、これに対応する焦点検出枠３０が表示されている様子を示している。
【００１３】
また、撮影者によってレリーズボタン１４が全押しされると、メインミラー５及びサブミラー６が光路外へ退避し、被写体からの光は撮像素子７へ到達する。これにより、この被写体からの光は撮像素子７によって撮像され、被写体画像として不図示のメモリに記録される。このようにして撮影者は、ファインダー８を覗きながら被写体の撮影を行うことができる。
【００１４】
一方、撮影者によってモードダイヤル１３が操作されて本カメラ１がライブビューモードに設定されている場合には、レリーズボタン１４が半押しされると、メインミラー５及びサブミラー６が光路外へ退避し、被写体からの光は撮像素子７へ到達する。これにより、この被写体からの光は撮像素子７によって撮像され、被写体画像が液晶モニタ１６に表示されることとなる。これにより撮影者はファインダー８を覗くことなく被写体を観察することが可能となる。なお、以上のようにライブビューモードにおいてレリーズボタン１４が半押しされた際には、メインミラー５及びサブミラー６が光路外へ退避するため、撮影者はファインダー８を覗いても被写体像を観察することはできない。
【００１５】
また、本カメラ１がライブビューモードに設定されており、撮影者によってレリーズボタン１４が全押しされると、制御部１０はレリーズボタン１４の半押し時に撮像素子７で得られた被写体画像について、撮影者が任意に選択或いは制御部１０が選択した所定の焦点検出領域におけるコントラストを検出し、これに基づいてフォーカシングを行う。なお、このとき制御部１０はファインダー内表示部１２を制御し、ファインダー８の視野内に前記所定の焦点検出領域に対応する焦点検出枠３０を表示させる。このようにしてオートフォーカスが完了した後、被写体からの光は撮像素子７によって撮像され、被写体画像として不図示のメモリに記録される。このようにして撮影者は、ライブビューモードでの被写体の撮影を行うことができる。
【００１６】
次に、本実施形態に係るカメラ１の特徴的な構成について説明する。
本カメラ１がライブビューモードに設定されている際に、撮影者が誤ってファインダー８を覗き、被写体の構図を確認してレリーズボタン１４を半押しすれば、上述のように被写体画像が液晶モニタ１６に表示され、撮影者はファインダー８を覗いても被写体像を観察することができなくなるため、撮影の失敗を招くこととなってしまう。また、斯かる状態において撮影者がレリーズボタン１４を全押しすれば、上述のようにオートフォーカス完了後に撮影が実施されるため、シャッターチャンスを逃すこととなり、撮影の失敗を招くこととなってしまう。
【００１７】
そこで、本カメラ１はライブビューモードに設定されている際に、ファインダー内表示部１２がファインダー８の視野内に当該カメラ１がライブビューモードに設定されていることを示すように構成されている。
具体的には、本カメラ１がライブビューモードに設定されている状態において撮影者がファインダー８を覗いた際に、これを接眼検出センサ１７が検出する。そしてこの検出結果に基づいて制御部１０がファインダー内表示部１２を制御し、図５に示すように複数の焦点検出枠３０を全体として文字「ＬＶ」をなすようにファインダー８の視野内に表示させる。なお、文字「ＬＶ」は、本カメラ１がライブビューモードに設定中であることを意味しており、撮影者がファインダー８を覗いていることが接眼検出センサ１７によって検出されている間中、常に表示される。
【００１８】
斯かる構成により、ライブビューモードにおいて撮影者が誤ってファインダー８を覗いて撮影を行おうとした際に、撮影者はファインダー８の視野内で被写体像に重畳された文字「ＬＶ」を確認することができる。このため撮影者は、本カメラ１がライブビューモードに設定中であることを認識することができ、上述のような撮影の失敗を未然に防止することができる。
【００１９】
また、本実施形態に係るカメラ１は、ファインダー内表示部１２が複数の焦点検出枠３０を全体として所定の文字又は記号をなすようにファインダー８の視野内に表示することで、本カメラ１の様々な状態を示すように構成されている。
具体的には、撮像素子７の撮像範囲が切り換えられた際に、制御部１０はファインダー内表示部１２を制御し、図６に示すように複数の焦点検出枠３０を全体として文字「ＤＸ」をなすようにファインダー８の視野内に表示させる。なお、本カメラ１は撮像素子７の撮像範囲を切り換えて撮影を行うことが可能なデジタルカメラであって、文字「ＤＸ」は所定の撮像範囲（ＤＸフォーマット）に切り換えられたことを意味している。
【００２０】
また具体的には、本カメラ１に何らかのエラーが生じた際に、制御部１０はファインダー内表示部１２を制御し、図７に示すように複数の焦点検出枠３０を全体として文字「Ｅｒｒ」をなすようにファインダー８の視野内に表示させる。
また具体的には、本カメラ１のカメラ本体４内に備えられている不図示の電池が消耗した際に、制御部１０はファインダー内表示部１２を制御し、図８に示すように複数の焦点検出枠３０を全体として文字「ＢＡＴ」をなすようにファインダー８の視野内に表示させる。
また具体的には、撮影者が撮影した画像を液晶モニタ１６に再生している際に、制御部１０はファインダー内表示部１２を制御し、図９に示すように複数の焦点検出枠３０を全体として画像の再生状態を示す記号をなすようにファインダー８の視野内に表示させる。なお、以上に述べたカメラ１の状態を示す文字や記号は、ファインダーモードとライブビューモードの両方において表示される。
【００２１】
また、本実施形態に係るカメラ１は、上述のように姿勢検出センサ１１を備えており、本カメラ１が撮影者によって縦向きに構えられていることが姿勢検出センサ１１で検出された際には、制御部１０はファインダー内表示部１２を制御し、ファインダー８の視野内に表示される上述の文字や記号の向きを、図１０に文字「ＬＶ」の例を示すように撮影者に合わせて変更するように構成されている。
【００２２】
なお、本実施形態に係るカメラ１において、焦点検出時に、上述の文字や記号を形成するために表示される複数の焦点検出枠３０が、焦点検出時の焦点検出領域を示す焦点検出枠３０と重複する場合には、制御部１０はファインダー内表示部１２を制御し、焦点検出時の焦点検出枠３０の表示を優先させるように構成されている。このことは、後述のように所定の焦点検出枠３０の表示を焦点検出時の焦点検出枠３０の表示と異ならせることで、カメラ１がライブビューモードに設定されていることやカメラ１の状態をファインダー８の視野内に示す場合にも同様である。
【００２３】
なお、本実施形態に係るカメラ１は、上述のように接眼検出センサ１７を備えていることにより、本カメラ１をライブビューモードに設定中で撮影者がファインダー８を覗いているときにのみ、ファインダー８の視野内に文字「ＬＶ」を表示する構成であり、これによって省電力化が図られている。しかしながらこの構成に限られず、カメラ本体４に接眼検出センサ１７を備えず、ライブビューモードに設定中、常に文字「ＬＶ」を表示する構成とすることも可能であり、これによって構成の簡略化を図ることができる。
【００２４】
なお、上述のように本実施形態に係るカメラ１では、ファインダー内表示部１２でカメラ１がライブビューモードに設定されていることやカメラ１の状態を示す文字や記号をファインダー８の視野内に表示する構成である。しかしながらこれに限られず、制御部１０がファインダー内表示部１２を制御し、所定の焦点検出枠３０の表示を、焦点検出時の焦点検出枠３０の表示と異ならせることで、カメラ１がライブビューモードに設定されていることやカメラ１の状態をファインダー８の視野内に示すように構成することもできる。
【００２５】
具体的には、所定の焦点検出枠３０を焦点検出時の焦点検出枠３０の表示と異なる時間間隔で点滅表示させること、又は、所定の焦点検出枠３０を焦点検出時の焦点検出枠３０の表示と異なる明るさ或いは色で表示させることにより、カメラ１がライブビューモードに設定されていることやカメラ１の状態をファインダー８の視野内に示すように構成することもできる。
【００２６】
また具体的には、制御部１０がファインダー内表示部１２を制御し、図１１に示すようにカメラ１がライブビューモードに設定されていることやカメラ１の状態を示す各種マーク３２をファインダー８の視野内に表示させる構成とすることもできる。なお、図１１にはカメラ１がライブビューモードに設定されていることを示すマーク３２を表示した例を示している。
【００２７】
また、本実施形態に係るカメラ１は、ライブビューモードに設定されている状態において撮影者がファインダー８を覗いたことが接眼検出センサ１７で検出された場合、制御部１０がカメラ１のライブビューモードを自動的に解除し、ファインダーモードへ移行する構成としてもよい。
【００２８】
以上、本実施形態によれば、ライブビューモードに設定中であることやカメラの状態をファインダー８の視野内に示し、撮影の失敗を効果的に防ぐことが可能なカメラ１を実現することができる。
【符号の説明】
【００２９】
１      カメラ
３      カメラ鏡筒
４      カメラ本体
７      撮像素子
８      ファインダー
９      焦点検出部
１０    制御部
１１    姿勢検出センサ
１２    ファインダー内表示部
１３    モードダイヤル
１６    液晶モニタ
１７    接眼検出センサ
３０    焦点検出枠
【図１】
2010243954.tif 000003
【図２】
2010243954.tif 000004
【図３】
2010243954.tif 000005
【図４】
2010243954.tif 000006
【図５】
2010243954.tif 000007
【図６】
2010243954.tif 000008
【図７】
2010243954.tif 000009
【図８】
2010243954.tif 000010
【図９】
2010243954.tif 000011
【図１０】
2010243954.tif 000012
【図１１】
2010243954.tif 000013